(57)【要約】【課題】装着前においても前後の判別が容易であり、着用時に着用者のそけい部に跡が付きにくいパンツ型吸収性物品を提供すること。【解決手段】腹側シート部材２Ａと、背側シート部材２Ｂと、縦長の吸収性本体とを具備し、腹側シート部材２Ａの両側縁部と背側シート部材２Ｂの両側縁部とが接合されて一対のサイドシール部４，４、ウエスト開口部及び一対のレッグ開口部が形成されているパンツ型吸収性物品１であり、腹側シート部材２Ａ及び背側シート部材２Ｂは、それぞれ、サイドシール部４より下方に延出する延出部２１ａ，２１ｂを有し、延出部２１ａ，２１ｂは何れも物品横方向Ｙに伸縮性を有しており、腹側シート部材２Ａの延出部２１ａは、吸収性本体３の両側縁それぞれの外方に位置する部分２６，２６が非矩形状であり、背側シート部材２Ｂの延出部２１ｂは、吸収性本体３の両側縁それぞれの外方に位置する部分２７，２７が矩形状である。【選択図】図２
2014113418.tif 000002
【特許請求の範囲】
【請求項１】
着用者の腹側に配される腹側シート部材と、着用者の背側に配される背側シート部材と、腹側シート部材及び背側シート部材に架け渡して固定された縦長の吸収性本体とを具備し、腹側シート部材の両側縁部と背側シート部材の両側縁部とが接合されて一対のサイドシール部、ウエスト開口部及び一対のレッグ開口部が形成されているパンツ型吸収性物品であって、
腹側シート部材及び背側シート部材は、それぞれ、前記サイドシール部より下方に延出する延出部を有し、該延出部は何れも物品横方向に伸縮性を有しており、
腹側シート部材の前記延出部は、前記吸収性本体の両側縁それぞれの外方に位置する部分が非矩形状であり、背側シート部材の前記延出部は、前記吸収性本体の両側縁それぞれの外方に位置する部分が矩形状である、パンツ型吸収性物品。
【請求項２】
腹側シート部材の前記延出部は、前記サイドシール部の下端から前記吸収性本体の側縁部と重なる点に至る下縁部が曲線状に形成されており、該下縁部は、物品横方向における前記サイドシール部側に、上方に向けて凸に湾曲した第１湾曲部を有し、物品横方向における前記吸収性本体側に、下方に向けて凸に湾曲した第２湾曲部を有する、請求項１記載のパンツ型吸収性物品。
【請求項３】
腹側シート部材の前記延出部は、前記サイドシール部の下端から前記吸収性本体の側縁部と重なる点に至る下縁部が曲線状に形成されており、該延出部は、前記サイドシール部の下端と前記吸収性本体の側縁部と重なる点とを結ぶ仮想直線より内側に後退した後退部分を有しないか、該仮想直線より外側に位置する張り出し部分の面積Ｓ１が前記後退部分の面積Ｓ２より大きい、請求項１又は２記載のパンツ型吸収性物品。
【請求項４】
前記後退部分の面積Ｓ２が前記張り出し部分の面積Ｓ１の５０％以下である、請求項３記載のパンツ型吸収性物品。
【請求項５】
腹側シート部材の前記延出部と背側シート部材の前記延出部とに、同一の太さの弾性部材が、同一のピッチ及び伸長率で配されている、請求項１〜４の何れか１項記載のパンツ型吸収性物品。
【発明の詳細な説明】
【技術分野】
【０００１】
本発明は、使い捨ておむつ等のパンツ型吸収性物品に関する。
【背景技術】
【０００２】
従来、従来のパンツ型吸収性物品として、外包材が、着用者の腹側に配される腹側シート部材と、着用者の背側に配される背側シート部材とに分割されており、吸収性本体が、腹側シート部材及び背側シート部材に架け渡すように固定されていると共に、腹側シート部材の左右の両側縁部と背側シート部材の左右両側縁部とが接合されているパンツ型吸収性物品が知られている。
例えば、特許文献１には、そのようなパンツ型吸収性物品として、前ベルト部分及び後ろベルト部分からなる環状弾性ベルトと吸収性本体とを備えると共に、後ろベルト部分（背側シート部材）の縦方向の長さを、前ベルト部分（腹側シート部材）の縦方向の長さよりも長くしたプルオン衣類が記載されている。
また、本出願人は、腹側シート部材と背側シート部材のそれぞれに、サイドシール部よりも下方に延出した延出部を設け、その延出部が物品横方向に伸縮性を有するパンツ型吸収性物品を提案した（特許文献２参照）。
【先行技術文献】
【特許文献】
【０００３】
【特許文献１】特表２００８−５０８０８２号公報
【特許文献２】特開２０１１−２５００６号公報
【発明の概要】
【発明が解決しようとする課題】
【０００４】
特許文献１のプルオン衣類は、後ろベルト部分がサイドシール部より下方に延出する臀部カバーを有し、該臀部カバーも伸縮性を有するため、サイドシール部の下端付近が、後ろベルト部分側に強く引っ張られて、前ベルト部分の下端にひきつれが生じやすい。そのため、前ベルト部分の下端が、着用者の前側のそけい部に強く当たって、着用者の肌に跡が付いたり、脚を動かし難く感じる場合がある。
他方、腹側シート部材と背側シート部材とを共にサイドシール部より下方に延出させた場合、腹側シート部材と背側シート部材との形態的な差が小さくなり、おむつの前後を視覚的に判別しづらくなる。
【０００５】
従って、本発明は、装着前においても前後の判別が容易であり、着用時に着用者のそけい部に跡が付きにくいパンツ型吸収性物品に関する。
【課題を解決するための手段】
【０００６】
本発明は、着用者の腹側に配される腹側シート部材と、着用者の背側に配される背側シート部材と、腹側シート部材及び背側シート部材に架け渡して固定された縦長の吸収性本体とを具備し、腹側シート部材の両側縁部と背側シート部材の両側縁部とが接合されて一対のサイドシール部、ウエスト開口部及び一対のレッグ開口部が形成されているパンツ型吸収性物品であって、腹側シート部材及び背側シート部材は、それぞれ、前記サイドシール部より下方に延出する延出部に有し、該延出部は何れも物品横方向に伸縮性を有しており、腹側シート部材の前記延出部は、前記吸収性本体の両側縁それぞれの外方に位置する部分が非矩形状であり、背側シート部材の前記延出部は、前記吸収性本体の両側縁それぞれの外方に位置する部分が矩形状である、パンツ型吸収性物品を提供するものである。
【発明の効果】
【０００７】
本発明のパンツ型吸収性物品は、装着前においても前後の判別が容易であり、着用時に着用者のそけい部に跡が付きにくい。
【図面の簡単な説明】
【０００８】
【図１】図１は、本発明の第１実施形態であるパンツ型使い捨ておむつを示す斜視図である。
【図２】図２は、図１に示すパンツ型使い捨ておむつの展開且つ伸長状態を示す一部破断平面図である。展開且つ伸長状態とは、サイドシール部を引き剥がして、パンツ型吸収性物品を展開状態とし、その展開状態の吸収性物品を、各部の弾性部材を伸長させて、設計寸法（弾性部材の影響を一切排除した状態で平面状に広げたときの寸法と同じ）となるまで拡げた状態をいう。
【図３】図３は、図２のＩＩＩ−ＩＩＩ線拡大断面図である。
【図４】図４は、図２のＩＶ−ＩＶ線拡大断面図である。
【図５】図５は、図２のＶ−Ｖ線拡大断面図である。
【図６】図６は、図１に示すパンツ型使い捨ておむつの装着前の状態（自然状態）の外観を示す模式図である。
【図７】図７は、図１に示すおむつの腹側延出部及びその近傍の拡大平面図である。
【発明を実施するための形態】
【０００９】
以下、本発明のパンツ型吸収性物品を、その好ましい実施形態に基づき図面を参照しながら説明する。
本発明の一実施形態であるパンツ型使い捨ておむつ１（以下、おむつ１ともいう）は、図１及び図２に示すように、着用者の腹側に配される腹側シート部材２Ａと、着用者の背側に配される背側シート部材２Ｂと、腹側シート部材２Ａ及び背側シート部材２Ｂに架け渡して固定された縦長の吸収性本体３とを具備し、腹側シート部材２Ａの両側縁部２ａ，２ａと背側シート部材２Ｂの両側縁部２ｂ，２ｂとが接合されて形成されて、一対のサイドシール部４，４、ウエスト開口部５及び一対のレッグ開口部６，６が形成されている。この接合には、例えばヒートシール、高周波シール、超音波シール、接着剤等の公知の接合方法が用いられる。
【００１０】
腹側シート部材２Ａは、物品縦方向Ｘの長さＬａが、サイドシール部４の同方向の長さＬ４より長く、該サイドシール部４より下方（着用時における下方）に延出する腹側延出部２１ａを有している。また、背側シート部材２Ｂも、物品縦方向Ｘの長さＬｂが、サイドシール部４の同方向の長さＬ４より長く、該サイドシール部４より下方（着用時における下方）に延出する背側延出部２１ｂを有している。
【００１１】
より詳細に説明すると、おむつ１は、図１及び図２に示すように、着用時に、着用者の腹側に配される腹側部Ａと、着用者の背側に配される背側部Ｂと、腹側部Ａと背側部Ｂとの間に位置し、着用者の股間部に配される股下部Ｃを有している。図２に示すように、物品縦方向Ｘは、パンツ型吸収性物品の縦方向であり、腹側部Ａから股下部Ｃを経て背側部Ｂに亘る方向である。物品横方向Ｙは、パンツ型吸収性物品の横方向であり、物品縦方向Ｘに交差する方向である。腹側部Ａ及び背側部Ｂにおける、物品横方向Ｙは、通常、着用者の胴回り方向に沿う方向である。
【００１２】
おむつ１の吸収性本体３は、図３に示すように、液透過性の表面シート３１、液不透過性又は撥水性の裏面シート３２、及び両シート３１、３２間に介在配置された液保持性の吸収体３３を有しており、図２に示すように、物品縦方向Ｘに長い長方形状に形成されている。吸収体３３は、パルプ繊維等の繊維の集合体（不織布であっても良い）又はこれに吸水性ポリマーの粒子を保持させてなる吸収性コア３３ａと、該吸収性コア３３ａを被覆するコアラップシート３３ｂ，３３ｃからなる。吸収体３３も、物品縦方向Ｘに長い長方形状に形成されている。
【００１３】
吸収性本体３は、長手方向の両側部に、吸収体３３の長手方向の両側縁それぞれの外方に位置する側部シート部３４，３４を有している。
側部シート部３４は、図２に示すように、吸収性本体３の長手方向に沿って延びており、吸収性本体３の全長に亘って存在している。側部シート部３４は、図３に示すように、液抵抗性ないし撥水性のシート材３５及び該シート材３５に固定された弾性部材３６，３６を備えている。
側部シート部３４は、その長手方向における弾性部材３６が配されている範囲の略全体が、弾性部材３６によって吸収性本体３の長手方向に伸縮する伸縮領域３４ｃとなっている。
【００１４】
側部シート部３４の伸縮領域３４ｃは、股下部Ｃに、側部ギャザーを形成する。即ち、股下部Ｃにおける伸縮領域３４ｃは、側部シート部３４に伸長状態で配された弾性部材３６が収縮することで、側部シート部３４を構成するシート材３５が襞寄せされたり波状の断面形状に変形して、側部ギャザーを形成する。側部ギャザーは、おむつ１の自然状態及び／又は着用状態で形成されれば良く、また、おむつ１の着用時に、後述する線状接合部３０の外縁端を起立端３４ｂとして、着用者の肌側に向かって起立する。
【００１５】
また、側部シート部３４及び伸縮領域３４ｃは、図２〜図５に示すように、腹側シート部材２Ａ上及び背側シート部材２Ｂ上にも延在している。
側部シート部３４は、腹側延出部２１ａ及び背側延出部２１ｂ上に接着剤８を介して接合された接合領域３６ａ，３６ｂを有している。
接合領域３６ａ，３６ｂにおける弾性部材３６は、図示しない接着剤等を介して、側部シート部３４を構成するシート材３５間に固定されており、弾性部材３６が内部に固定された側部シート部３４が、接着剤８を介して腹側シート部材２Ａ又は背側シート部材２Ｂに固定されている。
【００１６】
おむつ１における腹側延出部２１ａは、図２に示すように、吸収性本体３の両側縁それぞれの外方（物品横方向Ｙにおける外方）に位置する部分２６，２６が非矩形状である。これに対して、背側延出部２１ｂは、吸収性本体３の両側縁それぞれの外方（物品横方向Ｙにおける外方）に位置する部分２７，２７は矩形状である。
【００１７】
また、おむつ１における腹側シート部材２Ａ及び背側シート部材２Ｂは何れも、図４及び図５に示すように、おむつの外面をなす外層シート２２と、外層シート２２の内面側に配された内層シート２３と、両シート２２，２３間に物品縦方向Ｘに相互に離間させて配された複数本の糸状の弾性部材２４とを備えており、それぞれ、図２に示すように、ウエスト伸縮部Ｇ１、胴回り伸縮部Ｇ２、延出部伸縮部Ｇ３を有している。
【００１８】
ウエスト伸縮部Ｇ１は、腹側シート部材２Ａ及び背側シート部材２Ｂのそれぞれにおいて、物品縦方向Ｘにおける、吸収性本体３の長手方向の端部３ａ，３ｂより外方に形成されている。胴回り伸縮部Ｇ２は、腹側シート部材２Ａ及び背側シート部材２Ｂのそれぞれにおいて、物品縦方向Ｘにおける、ウエスト伸縮部Ｇ１と腹側延出部２１ａ又は背側延出部２１ｂとの間に形成されている。延出部伸縮部Ｇ３は、腹側延出部２１ａ又は背側延出部２１ｂに形成されている。胴回り伸縮部Ｇ２及び延出部伸縮部Ｇ３は、それぞれ、物品横方向Ｙにおける、少なくとも、吸収性本体３の長手方向の両側縁それぞれより外方に位置する部分に形成されていることが好ましい。
【００１９】
ウエスト伸縮部Ｇ１、胴回り伸縮部Ｇ２、延出部伸縮部Ｇ３は、それぞれ、物品横Ｙにおける、少なくとも、吸収体３３の両側縁それぞれより外方に位置する部分において伸縮性を発現することが好ましい。また、図２、４及び図５には、ウエスト伸縮部Ｇ１及び延出部伸縮部Ｇ３を形成する弾性部材２４が、吸収体３３を横断して、腹側シート部材２Ａ及び背側シート部材２Ｂの全幅に亘って延びている実施形態を示したが、胴回り伸縮部Ｇ２及び／又は延出部伸縮部Ｇ３を形成する弾性部材２４は、吸収体３３の幅方向中央部と重なる部分においては、熱処理等により弾性部材の弾性を喪失させたり、弾性部材を切断したりする等により、該部分では弾性部材２４が腹側シート部材２Ａ及び背側シート部材２Ｂに伸縮性を付与しないようにすることも好ましい。
【００２０】
腹側シート部材２Ａ及び背側シート部材２Ｂを構成する２枚のシート２２，２３間は、腹側シート部材２Ａ及び背側シート部材２Ｂそれぞれの実質的に全域において接着剤で固定されていても良いし、特開２００５−８０８５９号公報に記載の弾性伸縮部材における２枚のシート材間のように、弾性部材２４を通らないように散点状に形成された多数の接合部において接合されていても良い。
【００２１】
吸収性本体３は、長手方向の一端側の、腹側シート部材２Ａと重なっている部分が、腹側シート部材２Ａの物品横方向Ｙの中央部に接着剤８を介して固定され、長手方向の他端側の、背側シート部材２Ｂと重なっている部分が、背側シート部材２Ｂの物品横方向Ｙの中央部に接着剤８を介して固定されている。また、本実施形態のおむつ１における側部シート部３４，３４は、図２及び図４に示すように、それぞれ、物品横方向Ｙの外方側に倒した状態で、腹側シート部材２Ａの本体部２０ａ及び腹側延出部２１ａに固定されている。また、側部シート部３４，３４は、図２及び図５に示すように、それぞれ、物品横方向Ｙの外方側に倒した状態で、背側シート部材２Ｂの本体部２０ｂ及び背側延出部２１ｂに固定されている。腹側シート部材２Ａの本体部２０ａは、腹側シート部材２Ａにおける左右にサイドシール部を有する部分であり、背側シート部材２Ｂの本体部２０ｂは、背側シート部材２Ｂにおける左右にサイドシール部を有する部分である。
【００２２】
本実施形態のおむつ１は、前述したように、伸縮性を有する背側延出部２１ｂに加えて伸縮性を有する腹側延出部２１ａを有し、また、腹側延出部２１ａにおける吸収性本体側縁から外方に位置する部分２７が非矩形状であるのに対して、背側延出部２１ｂにおける吸収性本体の両側縁それぞれの外方に位置する部分２６が矩形状である。
そのため、背側延出部２１ｂの延出部伸縮部Ｇ３が収縮して、サイドシール部４を後方に引っ張っても、腹側延出部２１ａにも延出部伸縮部Ｇ３が存在することによって、サイドシール部４が後方に引っ張られる程度が抑制される。また、腹側延出部２１ａの下縁部２６ａが曲線状であることによって、該下縁部２６ａが、着用者の腹側にある、そけい部に集中的に強く当たることが防止される。このような作用によって、着用者の肌に跡が付いたり、着用者が脚を動かし難くなったりすることが防止される。
また、背側延出部２１ｂが矩形状であるため、着用時において臀部を背側延出部２１ｂが確実に覆うことが可能となり、また、腹側延出部２１ａの下縁部２６ａが曲線状であることより、着用時において、余分な部材が存在せず、衣服としての外観が良好となる。
【００２３】
しかも、展開且つ伸長状態のおむつにおいて、腹側延出部２１ａの前記部分２７が非矩形状であるの対して背側延出部２１ｂの前記部分２６の形状が矩形状であることによって、おむつ１は、腹側部Ａと背側部Ｂの内面どうしが面接ないし近接した装着前の収縮状態においても、図６に示すように、腹側延出部２１ａの前記部分２７と背側延出部２１ｂの前記部分２６との形態の差が明瞭に表れる。そのため、おむつ１の前後を視覚的に判別することが容易である。
【００２４】
本実施形態のおむつ１における腹側延出部２１ａは、図７に示すように、サイドシール部４の下端Ｐ１から吸収性本体３の側縁部３ｃと重なる点Ｐ２に至る下縁部２６ａが曲線状に形成されており、その下縁部２６ａは、物品横方向Ｙにおける、サイドシール部４側（サイドシール部に近い側）に、上方に向けて凸に湾曲した第１湾曲部２６ａ’を有すると共に、物品横方向Ｙにおける、吸収性本体３側（吸収性本体３に近い側）に、下方に向けて凸に湾曲した第２湾曲部２６ａ”を有している。
下縁部２６ａの形状が、このような形状であると、前述した一又は二以上の効果が一層確実に奏される。更に、着用者が歩行する際の前後の足の動きを束縛することが抑制される。換言すると、腹側延出部２１ａの下縁部２６ａが着用時に着用者のそけい部に沿うことが可能となり、歩行時の違和感の解消および外観の向上が確実に奏される。なお、下縁部２６ａの湾曲の向きを示す上方及び下方は、物品縦方向Ｘに対して傾斜した斜め上方や斜め下方であっても良い。
【００２５】
また、本実施形態のおむつ１における腹側延出部２１ａは、図７に示すように、サイドシール部４の下端Ｐ１から吸収性本体３の側縁部３ｃと重なる点Ｐ２に至る下縁部２６ａが曲線状に形成されている。また、腹側延出部２１ａは、前記下端Ｐ１と前記点Ｐ２とを結ぶ仮想直線Ｌ２より外側に位置する張り出し部分Ｄと、該仮想直線Ｌ２より内側に後退した後退部分Ｅとを有しているが、張り出し部分ＤのＳ１が後退部分Ｅの面積Ｓ２より大きい。なお、図７に示すように、サイドシール部４が物品横方向Ｙに幅を有する場合、サイドシール部の下端部における物品横方向Ｙの外側の端部をサイドシール部４の下端Ｐ１とする。
【００２６】
腹側延出部２１ａ、特に吸収性本体３の側縁の外方に位置する部分２６の形状が、このような条件を満たすものであると、前述した一又は二以上の効果が一層確実に奏される。更に、上述したように、腹側延出部２１ａの下縁部２６ａが着用者のそけい部に沿いやすくなり、歩行時において、部材のひきつれが起こりにくく、違和感が生じにくい。
このような観点から、後退部分Ｅの面積Ｓ２は、張り出し部分Ｄの面積Ｓ１に対する割合が、好ましくは５０％以下、より好ましくは４０％以下であり、また、好ましくは５％以上、より好ましくは１０％以上であり、また、好ましくは５〜５０％であり、より好ましくは１０〜４０％である。面積Ｓ２の面積Ｓ１の対する割合は０％でも良い。
【００２７】
張り出し部分Ｄの面積Ｓ１は、前記仮想直線Ｌ２と、張り出し部分Ｄにおける下縁部２６ａ（仮想直線Ｌ２より股下部Ｃ側に位置する下縁部）とに囲まれた領域の面積であり、後退部分Ｅの面積Ｓ２は、該仮想直線Ｌ２と、後退部分Ｅにおける下縁部２６ａ（仮想直線Ｌ２より腹側シート部の本体部２０ａ側（図７中の上側）に位置する下縁部）とに囲まれた領域の面積であり、何れも、展開且つ伸長状態のおむつ（パンツ型吸収性物品）において測定する。おむつを伸長状態にした際、腹側延出部２６ａは弾性部材の影響で収縮するが、上記測定を行う際は、弾性部材を取り除いてから行うか、もしくは腹側延出部２６ａにおいて、弾性部材を伸長した状態にて行う。
【００２８】
また、前述した一又は二以上の効果がより一層確実に奏されるようにする観点から、前記仮想直線Ｌ２は、おむつ縦方向中央線ＣＬに対する傾斜角度θ（図７参照）が、好ましくは４５°以上、更に好ましくは５０°以上であり、また、好ましくは８０°以下、更に好ましくは７０°以下であり、また、好ましくは４５〜８０°、更に好ましくは５０〜７０°である。
【００２９】
本実施形態のおむつ１における背側シート部材２Ｂは、おむつ１の展開且つ伸長状態（図２参照）において、横長の矩形状をなしており、物品縦方向Ｘに沿う左右一対の側縁部２ｂ，２ｂと、物品横方向Ｙに沿う上縁部２ｃ及び下縁部２ｄを有している。背側シート部材２Ｂは、物品縦方向Ｘの長さが物品横方向Ｙにおいて均一である。
他方、腹側シート部材の本体部２０ａは横長の矩形状をなしているが、腹側延出部２１ａは、非矩形状である。腹側シート部材２Ａは、物品縦方向Ｘの長さが、サイドシール部４又はその隣接部から吸収性本体３の側縁部３ｃに近づくにつれて漸増している。腹側延出部２１ａの前記部分２６の下縁部２６ａは、Ｓ又は逆Ｓ字曲線状をなしている。
【００３０】
更に、本実施形態のおむつ１について説明すると、おむつ１は、吸収性本体３の長手方向の両側部に、吸収性本体３の長手方向に沿って延びる一対の立体ギャザー形成部３８を有している。
立体ギャザー形成部３８は、シート材３５と、該シート材３５に固定された立体ギャザー形成用の弾性部材３９とを有してなる。立体ギャザー形成部３８は、少なくとも股下部Ｃに立体ギャザー３８ｃを形成する。本実施形態のおむつ１におけるシート材３５は、１枚のシートが、立体ギャザー形成部３８における、立体ギャザー３８ｃの自由端側の端部３８ａに配される折り曲げ部に沿って２つ折りされて２層構造とされている積層シートであり、該積層シートの層間に弾性部材３９が接着剤を介して固定されている。また、その積層シートは、側部シート部３４における、側方ギャザーの自由端側の端部３４ａに配される折り曲げ部に沿って更に２つ折りされており、それによって相対向した２枚の積層シート間に弾性部材３６が接着剤を介して固定されている。また、その積層シートどうしは、吸収体３３の側縁部の近傍、より詳細には側縁部のやや外方の位置に形成された線状接合部３０において、両者間に表面シート３１を介在させた状態で接合一体化されている。
【００３１】
線状接合部３０は、図２に示すように、長方形状の吸収体３３の両側縁部それぞれに沿って延びており、また、吸収体３３及び吸収性本体３の長手方向の全長に亘って延びている。線状接合部３０は、連続直線状に形成されていることが好ましいが、点線状に形成されていても良い。また、線状接合部３０を形成する際の接合方法としては、ヒートシール、超音波シール、高周波シール、接着剤の各種公知の接合方法が用いられる。
【００３２】
立体ギャザー３８ｃは、おむつ１の着用時に、着用者の肌側に向かって起立し、吸収性本体３から物品横方向外方への液の流出を阻止する。表面シート３１、裏面シート３２、吸収性コア３３ａ，コアラップシート３３ｂ，３３ｃの形成材料としては、それぞれ、この種の吸収性物品に従来用いられているものと同様のものを用いることができる。吸収性本体３の裏面シート３２側には、肌触りを良くする観点等から不織布等からなる外装シート３２ａを配することもできる。
【００３３】
腹側延出部２１ａと背側延出部２１ｂの延出部伸縮部Ｇ３には、同一の太さの弾性部材２４が、同一のピッチ及び伸長率で配されていることが、製造工程の簡易化、使用部材数の少数化等の観点から好ましい。弾性部材２４の太さ、ピッチ、伸長率等を同じにした場合、本実施形態のおむつ１によれば、延出部２１ａ，２１ｂの形態の差から、おむつの前後の判別は容易である。
【００３４】
腹側延出部２１ａの延出長さＬ５（物品縦方向Ｘの長さ，図２参照）は、腹側シート部材２Ａの同方向の長さＬａ（図２参照）に対する割合が、好ましくは５％以上、より好ましくは１０％以上であり、また、好ましくは５０％以下、より好ましくは４０％以下であり、また、好ましくは５〜５０％であり、より好ましくは１０〜４０％である。
また、背側延出部２１ｂの延出長さＬ６（物品縦方向Ｘの長さ，図２参照）は、背側シート部材２Ｂの同方向の長さＬｂ（図２参照）に対する割合が、好ましくは１５％以上、より好ましくは２０％以上であり、また、好ましくは５０％以下、より好ましくは４０％以下であり、また、好ましくは１５〜５０％であり、より好ましくは２０〜５０％であり、更に好ましくは２０〜４０％である。
また、幼児用のおむつの場合、腹側延出部２１ａの延出長さＬ５は、好ましくは１０ｍｍ以上、より好ましくは２０ｍｍ以上であり、また、好ましくは７０ｍｍ以下、より好ましくは６０ｍｍ以下であり、また、好ましくは１０〜７０ｍｍであり、より好ましくは２０〜６０ｍｍである。
また、幼児用のおむつの場合、背側延出部２１ｂの延出長さＬ６は、好ましくは２０ｍｍ以上、より好ましくは３０ｍｍ以上であり、また、好ましくは８０ｍｍ以下、より好ましくは７０ｍｍ以下であり、また、好ましくは２０〜８０ｍｍであり、より好ましくは３０〜７０ｍｍである。
【００３５】
また、背側延出部２１ｂの延出長さＬ６は、腹側延出部２１ａの延出長さＬ５と同じ（Ｌ５＝Ｌ６）か、それ以上（Ｌ６＞Ｌ５）であることが好ましい。背側延出部２１ｂの長さを、腹側延出部２１ａの長さより長くすることにより、おむつの前後の形態の差が一層判別し易くなる。
但し、本発明においては、背側延出部２１ｂの延出長さＬ６が、腹側延出部２１ａの延出長さＬ５と同じであることも好ましい。延出長さＬ５，Ｌ６が同一であっても、延出部２１ａ，２１ｂの形態の差から前後の判別は容易だからである。
【００３６】
なお、本実施形態のおむつ１においては、外層シート２２及び内層シート２３は、ウエスト開口部の開口周縁端をなす上縁部２ｃにおいて内層シート２３側に折り返されており、外層シート２２及び／又は内層シート２３の折り返し部分２５によって、吸収性本体３の長手方向と端部の肌対向面が被覆されている。
【００３７】
外層シート２２及び内層シート２３としては、この種の物品に従来使用されている各種のシート材を特に制限なく用いることができるが、不織布であることが好ましく、特に柔軟性等の観点から、エアースルー不織布、ヒートロール不織布、スパンレース不織布、スパンボンド不織布、メルトブローン不織布等からなる単層の不織布又は２層以上の積層不織布であることが好ましい。また、これらの不織布とフィルムとを一体化したシートでもよい。
弾性部材２４，３６，３９の形成材料としては、使い捨ておむつや生理用ナプキン等の吸収性物品に用いられる各種公知の弾性材料を特に制限なく用いることができる。弾性材料の素材としては、例えば、スチレン−ブタジエン、ブタジエン、イソプレン、ネオプレン等の合成ゴム、天然ゴム、ＥＶＡ、伸縮性ポリオレフィン、ポリウレタン等を挙げることができる。弾性部材の形態としては、断面が矩形、正方形、円形、多角形状等の糸状（糸ゴム等）若しくは紐状（平ゴム等）のもの、又はマルチフィラメントタイプの糸状のもの等を好ましく用いることができる。
【００３８】
以上、本発明をその好ましい実施形態に基づき説明したが、本発明は上述した実施形態に制限されず適宜変更可能である。
例えば、吸収性本体３は、立体ギャザー形成部及び／又は側部シート部を有しないものであっても良い。また、胴回り伸縮部Ｇ２を、腹側シート部材２Ａ及び／又は背側シート部材２Ｂの全幅に亘るように形成しても良く、延出部伸縮部Ｇ３も、腹側シート部材２Ａ及び／又は背側シート部材２Ｂの全幅に亘るように形成しても良い。
【００３９】
また、腹側延出部は、張り出し部分Ｄを有し、前記後退部分Ｅを有しないものであっても良い。また、腹側延出部の伸縮部Ｇ３と背側延出部の伸縮部Ｇ３とで、弾性部材２４の太さ、ピッチ及び伸長率の何れか１つ、あるいは２つ以上を異ならせても良い。
【００４０】
また、サイドシール部４は、腹側及び背側シート部材の側縁部２ａ，２ｂを接合して形成されているが、サイドシール部４の外側に腹側シート部材２Ａと背側シート部材２Ｂとが接合されていない細幅（例えば０ｍｍ超２０ｍｍ以下）の非接合部分を有していてもよい。このような構成のおむつ等も、本発明のパンツ型吸収性物品に含まれる。
【００４１】
また、パンツ型吸収性物品は、幼児又は成人用のパンツ型使い捨ておむつの他、パンツ型の生理用ナプキン、パンツ型の失禁パッド等であっても良い。
上述した一の実施形態における説明省略部分及び一の実施形態のみが有する要件は、それぞれ他の実施形態に適宜適用することができ、また、各実施形態における要件は、適宜、実施形態間で相互に置換可能である。
【００４２】
上述した実施形態に関し、さらに以下のパンツ型吸収性物品を開示する。
【００４３】
＜１＞着用者の腹側に配される腹側シート部材と、着用者の背側に配される背側シート部材と、腹側シート部材及び背側シート部材に架け渡して固定された縦長の吸収性本体とを具備し、腹側シート部材の両側縁部と背側シート部材の両側縁部とが接合されて一対のサイドシール部、ウエスト開口部及び一対のレッグ開口部が形成されているパンツ型吸収性物品であって、
腹側シート部材及び背側シート部材は、それぞれ、前記サイドシール部より下方に延出する延出部を有し、該延出部は何れも物品横方向に伸縮性を有しており、
腹側シート部材の前記延出部は、前記吸収性本体の両側縁それぞれの外方に位置する部分が非矩形状であり、背側シート部材の前記延出部は、前記吸収性本体の両側縁それぞれの外方に位置する部分が矩形状である、パンツ型吸収性物品。
【００４４】
＜２＞腹側シート部材は、物品縦方向の長さが、前記サイドシール部又はその隣接部から前記吸収性本体の側縁部に近づくにつれて漸増している前記＜２＞記載のパンツ型吸収性物品。
＜３＞腹側シート部材の前記延出部は、前記サイドシール部の下端から前記吸収性本体の側縁部と重なる点に至る下縁部が曲線状に形成されており、該下縁部は、物品横方向における前記サイドシール部側に、上方に向けて凸に湾曲した第１湾曲部を有し、物品横方向における前記吸収性本体側に、下方に向けて凸に湾曲した第２湾曲部を有する、前記＜１＞又は＜２＞記載のパンツ型吸収性物品。
＜４＞腹側シート部材の前記延出部は、前記サイドシール部の下端から前記吸収性本体の側縁部と重なる点に至る下縁部が曲線状に形成されており、該延出部は、前記サイドシール部の下端と前記吸収性本体の側縁部と重なる点とを結ぶ仮想直線より内側に後退した後退部分を有しないか、該仮想直線より外側に位置する張り出し部分の面積Ｓ１が前記後退部分の面積Ｓ２より大きい、前記＜１＞〜＜３＞の何れか１記載のパンツ型吸収性物品。
＜５＞前記後退部分の面積Ｓ２が前記張り出し部分の面積Ｓ１の５０％以下である、前記＜４＞記載のパンツ型吸収性物品。
＜６＞腹側シート部材の前記延出部と背側シート部材の前記延出部とに、同一の太さの弾性部材が、同一のピッチ及び伸長率で配されている、前記＜１＞〜＜５＞の何れか１記載のパンツ型吸収性物品。
＜７＞腹側シート部材は、物品縦方向の長さＬａが、前記サイドシール部の同方向の長さＬ４より長く、背側シート部材も、物品縦方向の長さＬｂが、該サイドシール部の同方向の長さＬ４より長い前記＜１＞〜＜６＞の何れか１記載のパンツ型吸収性物品。
【００４５】
＜８＞腹側シート部材及び背側シート部材は何れも、前記パンツ型吸収性物品の外面をなす外層シートと、該外層シートの内面側に配された内層シートと、両シート間に物品縦方向相互に離間させて配された複数本の糸状の弾性部材とを備えており、それぞれ、ウエスト伸縮部Ｇ１、胴回り伸縮部Ｇ２、延出部伸縮部Ｇ３を有している前記＜１＞〜＜７＞の何れか１記載のパンツ型吸収性物品。
＜９＞前記ウエスト伸縮部Ｇ１は、腹側シート部材及び背側シート部材のそれぞれにおいて、物品縦方向おける、前記吸収性本体の長手方向の端部より外方に形成されている前記＜８＞記載のパンツ型吸収性物品。
＜１０＞前記胴回り伸縮部Ｇ２は、腹側シート部材及び背側シート部材のそれぞれにおいて、物品縦方向における、前記ウエスト伸縮部Ｇ１と前記延出部との間に形成されている前記＜９＞記載のパンツ型吸収性物品。
＜１１＞前記延出部伸縮部Ｇ３は、前記延出部に形成されている前記＜８＞〜＜１０＞の何れか１記載のパンツ型吸収性物品。
＜１２＞腹側シート部材及び背側シート部材を構成する２枚の前記外層シート及び内層シート間は、前記弾性部材を通らないように散点状に形成された多数の接合部において接合されている前記＜８＞〜＜１１＞の何れか１記載のパンツ型吸収性物品。
＜１３＞前記吸収性本体は、腹側シート部材と重なっている部分が、腹側シート部材の物品横方向の中央部に接着剤を介して固定され、背側シート部材と重なっている部分が、背側シート部材の物品横方向の中央部に接着剤を介して固定されている前記＜１＞〜＜１２＞の何れか１記載のパンツ型吸収性物品。
＜１４＞腹側シート部材の前記延出部の下縁部が着用時に着用者のそけい部に沿う前記＜１＞〜＜１３＞の何れか１記載のパンツ型吸収性物品。
＜１５＞腹側シート部材の前記延出部の延出長さＬ５（物品縦方向の長さ）は、腹側シート部材の同方向の長さＬａに対する割合が、好ましくは５％以上、より好ましくは１０％以上であり、また、好ましくは５０％以下、より好ましくは４０％以下であり、また、好ましくは５〜５０％であり、より好ましくは１０〜４０％である前記＜１＞〜＜１４＞の何れか１記載のパンツ型吸収性物品。
＜１６＞背側シート部材の前記延出部の延出長さＬ６（物品縦方向の長さ）は、背側シート部材の同方向の長さＬｂに対する割合が、好ましくは１５％以上、より好ましくは２０％以上であり、また、好ましくは５０％以下、より好ましくは４０％以下であり、また、好ましくは１５〜５０％であり、より好ましくは２０〜５０％であり、更に好ましくは２０〜４０％である前記＜１＞〜＜１５＞の何れか１記載のパンツ型吸収性物品。
【００４６】
＜１７＞前記サイドシール部は、腹側及び背側シート部材の側縁部を接合して形成されており、該サイドシール部の外側に腹側シート部材と背側シート部材とが接合されていない細幅（例えば０ｍｍ超２０ｍｍ以下）の非接合部分を有している前記＜１＞〜＜１６＞の何れか１記載のパンツ型吸収性物品。
＜１８＞前記胴回り伸縮部Ｇ２を形成する前記弾性部材は、前記吸収性本体の吸収体の幅方向中央部と重なる部分においては、熱処理等により弾性部材の弾性を喪失させたり、弾性部材を切断したりする等により、該部分では該弾性部材が腹側シート部材及び背側シート部材に伸縮性を付与しない、前記＜８＞〜＜１２＞の何れか１記載のパンツ型吸収性物品。
＜１９＞前記胴回り伸縮部Ｇ２及び前記延出部伸縮部Ｇ３を形成する前記弾性部材は、前記吸収性本体の吸収体の幅方向中央部と重なる部分においては、熱処理等により弾性部材の弾性を喪失させたり、該弾性部材を切断したりする等により、該部分では該弾性部材が腹側シート部材２Ａ及び背側シート部材２Ｂに伸縮性を付与しない、前記＜８＞〜＜１２＞の何れか１記載のパンツ型吸収性物品。
＜２０＞前記胴回り伸縮部Ｇ２を、腹側シート部材２Ａ又は背側シート部材２Ｂの全幅に亘るように形成する前記＜８＞〜＜１２＞の何れか１記載のパンツ型吸収性物品。
＜２１＞前記胴回り伸縮部Ｇ２を、腹側シート部材及び背側シート部材の全幅に亘るように形成する前記＜８＞〜＜１２＞の何れか１記載のパンツ型吸収性物品。
＜２２＞前記延出部伸縮部Ｇ３を、腹側シート部材又は背側シート部材の全幅に亘るように形成する前記＜８＞〜＜１２＞の何れか１記載のパンツ型吸収性物品。
＜２３＞前記延出部伸縮部Ｇ３も、腹側シート部材及び背側シート部材の全幅に亘るように形成する前記＜８＞〜＜１２＞の何れか１記載のパンツ型吸収性物品。
＜２４＞前記パンツ型吸収性物品は、幼児又は成人用のパンツ型使い捨ておむつである前記＜１＞〜＜２３＞の何れか１記載のパンツ型吸収性物品。
【符号の説明】
【００４７】
１  パンツ型使い捨ておむつ（パンツ型吸収性物品）
２Ａ  腹側シート部材
２０ａ  腹側シート部材の本体部
２１ａ  腹側延出部
２Ｂ  背側シート部材
２０ａ  背側シート部材の本体部
２１ｂ  背側延出部
２２  外層シート
２３  内層シート
２４  弾性部材
２６  腹側延出部における吸収性本体の側縁の外方に位置する部分
２７  背側延出部における吸収性本体の側縁の外方に位置する部分
３  吸収性本体
３１  表面シート
３２  裏面シート
３３  吸収体
４  サイドシール部
５  ウエスト開口部
６  レッグ開口部
Ａ  腹側部
Ｂ  背側部
Ｃ  股下部
Ｇ１  ウエスト伸縮部
Ｇ２  胴回り伸縮部
Ｇ３  延出部伸縮部
Ｐ１  サイドシール部の下端
Ｐ２  腹側延出部の下縁部が吸収性本体の側縁部と重なる点
【図１】
2014113418.tif 000003
【図２】
2014113418.tif 000004
【図３】
2014113418.tif 000005
【図４】
2014113418.tif 000006
【図５】
2014113418.tif 000007
【図６】
2014113418.tif 000008
【図７】
2014113418.tif 000009